(57)【要約】【課題】  従来の歯ブラシ用刷毛の一本一本は円柱状であり、その先端は鋭く尖っている為、歯磨きを行うと、歯茎を傷つける恐れがあった。【解決手段】  生糸又は絹糸を３ｍｍ以上に束ねた毛束を、植毛台座に植毛して、歯磨きを行うと毛束の上部が放射状に広がる歯ブラシにする。【選択図】図３
2018011918.tif 000002
【特許請求の範囲】
【請求項１】
生糸又は絹糸を３ｍｍ以上に束ねた毛束を植毛台座に植毛した歯ブラシ。
【請求項２】
請求項１において、
植毛台座の長手方向に５ｍｍ以下の隙間を持って植毛して歯磨きを行うと毛束の上部が放射状に広がる事を特徴とする歯ブラシ。
【請求項３】
請求項１において、
生糸又は絹糸を３ｍｍから１５ｍｍに束ねた毛束を植毛台座の長手方向に複数植毛した事を特徴とする歯ブラシ。
【請求項４】
請求項１において、
毛束の下部をバンドで縛った毛束を植毛台座に植毛した事を特徴とする歯ブラシ。
【請求項５】
請求項１において、
毛束の長さの半分以下の下部全体を生糸の一成分であり天然の糊成分であるセリシンを浸漬させ乾燥し固めた毛束を植毛台座に植毛した事を特徴とする歯ブラシ。
【請求項６】
請求項１において、
毛束の長さの半分以下の下部全体を化学接着剤で固めた毛束を植毛台座に植毛した事を特徴とする歯ブラシ。
【請求項７】
請求項１において、
毛束の外周部を生糸にして中央部を絹糸にした毛束を植毛台座に植毛した事を特徴とする歯ブラシ。
【請求項８】
請求項１において、
毛束の先端が折り返している事を特徴とした歯ブラシ。
【請求項９】
請求項１において、
毛束の外周を織上げた事を特徴とする歯ブラシ。
【請求項１０】
請求項１において、
植毛台座の幅方向の植毛部分より端部分を毛束の半分以下の高さまで跳ね上げた事を特徴とする歯ブラシ。
【請求項１１】
刷毛として糸の断面が三角錐や四角錐をなす化学繊維を３ｍｍ以上に束ねた毛束を植毛台座に植毛した事を特徴とする歯ブラシ。
【発明の詳細な説明】
【技術分野】
【０００１】  本発明は、刷毛として生糸や絹糸を植毛した歯ブラシに関する。
【背景技術】
【０００２】  歯ブラシの刷毛には従来から各種形態のものがある。刷毛には豚毛やナイロンなどの化学繊維などが使用されているが、殆んどの刷毛は化学繊維を使用していて、円柱状であり毛の一本一本は鋭く尖った先端であった。【０００３】  歯ブラシの植毛台座への植毛方法も多義に渡り、植毛台座に毛束以外のフインやストッパーなどの突起部を設ける事も行われている。
【先行技術文献】
【特許文献】
【０００４】
【特許文献１】  特許第５８４２４８０号公報
【特許文献２】  特開平１１−２９９５４０号公報
【特許文献３】  特開２０００−２０１７３８号公報
【非特許文献】
【０００５】
【非特許文献１】  日蚕雑６１（１）、８０−８１（１９９２）：短報  縮緬残糸および絹糸腺内凝固絹と食品基準。
【発明の概要】
【発明が解決しようとする課題】
【０００６】  従来の歯ブラシ用刷毛の一本一本は円柱状であり、その先端は鋭く尖っている為、歯磨きを行うと、歯茎を傷つける恐れがあった。
【発明が解決するための手段】
【０００７】  生糸又は絹糸を３ｍｍから１５ｍｍに束ねた毛束１を、植毛台座２に植毛して、歯磨きを行うと毛束１の上部が放射状に広がる歯ブラシにする。
また、毛束１を植毛台座２の長手方向に４ｍｍ以下の隙間４を持って複数植毛して、歯ブラシにする。
【発明を実施するための形態】
【０００８】  本発明を実施するための形態を、生糸又は絹糸の毛束を植毛した歯ブラシ図１から図１７を使って説明する。
【０００９】  本発明は、生糸又は絹糸を刷毛として、図１に示す毛束１のように３ｍｍ以上に束ねて、図２に示すように植毛台座２に植毛した歯ブラシである。又、図３に示すように毛束１を、毛束１Ａ、毛束１Ｂのように植毛台座２の長手方向に４ｍｍ以下の隙間４を持って複数植毛した歯ブラシである。そしてネック３は、歯ブラシ本体の柄の一部である。
【００１０】  生糸又は絹糸の柔らかい刷毛は、歯や歯茎への優しい当り心地と清掃実感を得られる。また絹糸（フィブロイン６）の断面は、三角錐状となっており刷掃効果が高くなっている。生糸（フィブロイン６とセリシン５）も歯磨などで部分的にセリシン５が除去されると、その部分はフィブロイン６のみとなり断面は、三角錐状となり刷掃効果が高くなる。
フィブロイン６とセリシン５は、非特許文献１に示すように、食品基準を満たす食品である、故に体内に取り込まれても安全である。
生糸の構成物である、フィブロイン６とセリシン５の参考図を、図４に示す。
絹糸の構成物である、フィブロイン６の参考図を、図５に示す。
【００１１】  生糸又は絹糸の柔らかい刷毛の毛束１は、歯磨きを行うと図６、図７のように、毛束１の上部が放射状に広がる、この上部が広がった事により、刷毛の長手方向の三角錐部分が歯や歯茎に接触して、より良い刷掃効果が得られる。従って刷毛の毛束１の上部が広がる事で刷掃効果が上がる事になり、本願発明の特徴となっている。
【００１２】  生糸又は絹糸での歯磨は、柔らかく優しい当り心地があり、口腔内を傷つける事無く、歯垢除去と共に歯茎や口腔内の清掃やマツサージを行う事が出来る。
【００１３】  また図３の植毛台座２の毛束１Ａと毛束１Ｂの間にある隙間４は、狭い間隔となっていて、歯磨で毛束１の上部が放射状に広がった時、毛束１Ａと毛束１Ｂが隙間４部分で刷毛同士が倒れないように支え合う、この支え合った部分の毛束１下部分（植毛した毛束の根元つまり腰）の腰は強くなり腰折れが少なく、毛束１の高さが維持される為に、歯当たりが良くなって刷掃効果が高くなる。
【００１４】  植毛台座２の長手方向に複数又は複数列の毛束１を植毛する事で、歯や歯茎に対する接触面積が広くなり、特許文献１の毛束１個の植毛より、刷掃効果が高くなる。
【００１５】  また、上記毛束１の腰を強くする方法を、図８から図１０に示す。
図８毛束１の下部をバンド７で強く縛りバンド毛束８として、植毛台座２に植毛する。
図９、図１０、縛られ腰の強くなったバンド毛束８は、歯磨を行った時、バンド７部分は固定保持され、上部のみが放射状に広がる事になり、腰折れ部分がなくなって、歯当たりが良くなり刷掃効果が高くなる。
【００１６】  続けて、毛束１の腰を強くする方法を、図１１から図１３に示す。
図１１の、毛束１下部の半分位下の浸漬部分９を、生糸の一成分であり天然の糊成分であるセリシン５を浸漬させ乾燥し固めて腰を強めた浸漬毛束１０とする。
図１２、図１３、腰を強めた浸漬毛束１０を植毛台座２に植毛する事により、上記浸漬部分９より上部のみが歯磨時に放射状に広がる事になり、腰折れ部分がなくなって、歯当たりが良くなり刷掃効果が高くなる。
【００１７】  上記のセリシン５の代用として、体内に入っても安全な化学接着剤を使用しても良い。
【００１８】  毛束１を図１４に示すように、毛束１の外側を生糸１１にし、中央部を絹糸１２にした構造にして、３ｍｍ以上の毛束１として使用する。
絹糸１００％の時より毛束のまとまりがよくなる。
【００１９】  また、図１５に示すように、生糸又は絹糸の先端を折り返し又は湾曲させた刷毛を、３ｍｍ以上の束にして、折り返し毛束１３とする。
歯磨きを行い折り返し毛束１３の上部が放射状に広がった時、刷毛の長手方向の三角錐部分が長く歯や歯茎に接触する面積が広いので、刷掃効果が高くなる。
【００２０】  そして、図１６に示すように、生糸又は絹糸の外周部分を織上げて、織上げ毛束１４とする。
織上げ毛束１４を歯磨に使用すると、毛束上部が放射状に広がる。この時初期は織目の抵抗で小さな広がりとなるが、使用毎に織上げ部分の上部が徐々に解ける事で、織上げ毛束１４の上部の放射状の広がりも徐々に大きく広がる、この事により毛束の腰の強さが持続されて刷掃効果が高くなる。
【００２１】  本発明の実施は、刷毛として、糸の断面が三角錐や四角錐をなす化学繊維を使っても良い。
【００２２】  生糸又は絹糸の柔らかい刷毛の毛束１は、歯磨や歯茎の刷掃に加え爪磨きや皮膚の刷掃用ブラシとして有効に使用出来る。
【００２３】毛束１の先が広がった部分を有効活用する方法を、図１７から図１８に示す。
植毛台座２の幅方向の植毛部分より端部分を、毛束１の半分位の高さまで跳ね上げる事で跳ね上げ部分１５が歯磨時に広がった刷毛を受け止める事で、歯当たりが良くなり刷掃効果が高くなる。
【発明の効果】
【００２４】  生糸又は絹糸の柔らかい刷毛は、歯や歯茎への優しい当り心地と清掃実感を得られる。
また絹糸の断面は三角錐状となっており、刷毛の長手方向の三角錐の角を利用することで、刷掃効果が高くなる。
【００２５】  生糸又は絹糸の柔らかい刷毛を束ねた毛束は、歯磨きを行うと毛束の上部が広がる。
この毛束の上部を広げた事により、刷毛の長手方向の三角錐部分が歯や歯茎に接触して、高い刷掃効果が得られた。
【００２６】  従って、毛束の上部を広げて、刷掃効果を上げる事を特徴とした毛束を作成した。
【００２７】  植毛台座の長手方向に複数の毛束を植毛して、歯や歯茎に対する接触面積を広くする事で、植毛台座に毛束１個の植毛時より、刷掃効果が高くなった。
【００２８】  毛束の下部をバンドで強く縛り植毛台座に植毛する事で、縛られた毛束は歯磨を行った時、バンド部分から下部は崩れずに保持され上部のみが広がる事になり、腰折れ部分がなくなり歯当たりが良くなって、刷掃効果が高くなった。
【００２９】  毛束の長さ半分以下の下部全体を、生糸の一成分であり天然の糊成分であるセリシンを浸漬させ乾燥し固めて毛束下部を強くしてから、植毛台座に植毛する事により、上記浸漬部分より上部のみが歯磨時に広がる事になり、腰折れ部分がなくなって、歯当たりが良くなり、刷掃効果を高くする事が出来た。
【００３０】  生糸又は絹糸の先端を折り返し又は湾曲させた刷毛で、歯磨きを行い折り返し毛束の上部が放射状に広がった時、刷毛の長手方向の三角錐部分が長く歯や歯茎に接触する面積が広いので、刷掃効果が高くなった。
【００３１】  毛束の外周部分を織上げた事で、歯磨を行い織上げ毛束の上部の放射状の広がり方が、徐々に大きくなるので、腰の強い歯当たりが得られ刷掃効果が高くなった。
【００３２】  植毛台座の幅方向の植毛部分より端部分を、毛束の半分以下の高さまで、両端を部分的に跳ね上げた。跳ね上げ部分が歯磨時に広がった刷毛を受け止める事で、歯当たりが良くなり刷掃効果が高くなった。
【００３３】  特許文献２は、絹糸の強度を高め、ブラシに適する素材にする事となっており、絹以外の物質と接合した刷毛であり、生糸や絹糸のみの柔らかい刷毛を毛束にして植毛する本願発明とは異なる。
特許文献３は、絹糸に植物の抽出液を含浸した物を使用するとなっており、  刷毛を生糸や絹糸のみの素材を利用する本願発明とは異なる。
【実施例】
【００３４】図２、同様に図３、図９、図１２が本発明の実施例である。
【図面の簡単な説明】
【００３５】
【図１】  本発明の実施例を示した毛束部分の斜視図である。
【図２】  本発明の実施例を示した歯ブラシヘッド部分の斜視図である。
【図３】  本発明の実施例を示した歯ブラシヘッド部分の斜視図である。
【図４】  参考図で、生糸の断面図である。
【図５】  参考図で、絹糸の斜視図である。
【図６】  実施例、図３を歯磨に使用した後の歯ブラシヘッド部分の平面図である。
【図７】  実施例、図３を歯磨に使用した後の歯ブラシヘッド部分の正面図である。
【図８】  本発明の実施例を示したバンド毛束部分の斜視図である。
【図９】  実施例、図８のバンド毛束を植毛した歯ブラシヘッド部分の斜視図である。
【図１０】  実施例、図９を歯磨に使用した後の歯ブラシヘッド部分の正面図である。
【図１１】  本発明の実施例を示した浸漬毛束部分の斜視図である。
【図１２】  実施例、図１１の浸漬毛束を植毛した歯ブラシヘッド部分の斜視図である。
【図１３】  実施例図１２を歯磨に使用した後の歯ブラシヘッド部分の正面図である。
【図１４】  本発明の実施例を示した外周部を生糸、内部を絹糸とした毛束部分の平面図である。
【図１５】  本発明の実施例を示した折り返し毛束部分の斜視図である。
【図１６】  本発明の実施例を示した織上げ毛束部分の斜視図である。
【図１７】  本発明の実施例を示した跳ね上げ部分の歯ブラシヘッド部分の左側面図である。
【図１８】  実施例図１７を歯磨に使用した後の歯ブラシヘッド部分の左側面図である
【符号の説明】
【００３６】１  毛束
１Ａ  毛束
１Ｂ  毛束
２  植毛台座
３  ネック
４  隙間
５  セリシン
６  フィブロイン（絹糸）
７  バンド
８  バンド毛束
９  浸漬部分
１０  浸漬毛束
１１  生糸
１２  絹糸
１３  折り返し毛束
１４  織上げ毛束
１５  跳ね上げ部分
【図１】
2018011918.tif 000003
【図２】
2018011918.tif 000004
【図３】
2018011918.tif 000005
【図４】
2018011918.tif 000006
【図５】
2018011918.tif 000007
【図６】
2018011918.tif 000008
【図７】
2018011918.tif 000009
【図８】
2018011918.tif 000010
【図９】
2018011918.tif 000011
【図１０】
2018011918.tif 000012
【図１１】
2018011918.tif 000013
【図１２】
2018011918.tif 000014
【図１３】
2018011918.tif 000015
【図１４】
2018011918.tif 000016
【図１５】
2018011918.tif 000017
【図１６】
2018011918.tif 000018
【図１７】
2018011918.tif 000019
【図１８】
2018011918.tif 000020
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
生糸又は絹糸を３ｍｍ以上に束ねた毛束を植毛台座に植毛し、
前記毛束の下部を、バンドで縛る、又は、天然成分或いは化学成分の接着剤で固めることによって固定部分を形成し、
前記毛束の前記固定部分の少なくとも一部が、前記植毛台座から前記毛束の先端方向に突出していることを特徴とした歯ブラシ。
【請求項２】
請求項１において、
前記植毛台座の長手方向に５ｍｍ以下の隙間を持って前記毛束を植毛して歯磨きを行うと、前記毛束の前記固定部分よりも上部が放射状に広がる事を特徴とする歯ブラシ。
【請求項３】
請求項１において、
前記生糸又は絹糸を３ｍｍから１５ｍｍに束ねた前記毛束を前記植毛台座の長手方向に複数植毛した事を特徴とする歯ブラシ。
【請求項４】
請求項１において、
前記毛束の長さの半分以下の下部全体となる前記固定部分を、前記生糸の一成分であり天然の糊成分であるセリシンを浸漬させ乾燥し固めた事を特徴とする歯ブラシ。
【請求項５】
請求項１において、
前記毛束の長さの半分以下の下部全体となる前記固定部分を、化学接着剤で固めた事を特徴とする歯ブラシ。
【請求項６】
請求項１において、
前記毛束の外周部を生糸にして中央部を絹糸にした前記毛束を前記植毛台座に植毛した事を特徴とする歯ブラシ。
【請求項７】
請求項１において、
前記毛束の先端が折り返している事を特徴とした歯ブラシ。
【請求項８】
請求項１において、
前記毛束の外周を織上げた事を特徴とする歯ブラシ。
【請求項９】
生糸又は絹糸を３ｍｍ以上に束ねた毛束を植毛台座に植毛し、
前記植毛台座の幅方向における植毛部分より両端部分を、前記毛束の先端方向に向かって、前記毛束の半分以下の高さまで跳ね上げた事を特徴とする歯ブラシ。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
生糸又は絹糸を、断面直径が３ｍｍ以上に束ねた毛束を植毛台座に植毛し、
前記毛束の下部を、バンドで縛る、又は、天然成分或いは化学成分の接着剤で固めることによって固定部分を形成し、
前記毛束の前記固定部分の少なくとも一部が、前記植毛台座から前記毛束の先端方向に突出していることを特徴とした歯ブラシ。
【請求項２】
請求項１において、
前記植毛台座の長手方向に５ｍｍ以下の隙間を持って前記毛束を植毛して歯磨きを行うと、前記毛束の前記固定部分よりも上部が放射状に広がる事を特徴とする歯ブラシ。
【請求項３】
請求項１において、
前記生糸又は絹糸を、断面直径が３ｍｍから１５ｍｍに束ねた前記毛束を前記植毛台座の長手方向に複数植毛した事を特徴とする歯ブラシ。
【請求項４】
請求項１において、
前記毛束の長さの半分以下の下部全体となる前記固定部分を、前記生糸の一成分であり天然の糊成分であるセリシンを浸漬させ乾燥し固めた事を特徴とする歯ブラシ。
【請求項５】
請求項１において、
前記毛束の長さの半分以下の下部全体となる前記固定部分を、化学接着剤で固めた事を特徴とする歯ブラシ。
【請求項６】
請求項１において、
前記毛束の外周部を生糸にして中央部を絹糸にした前記毛束を前記植毛台座に植毛した事を特徴とする歯ブラシ。
【請求項７】
請求項１において、
前記毛束の先端が折り返している事を特徴とした歯ブラシ。
【請求項８】
請求項１において、
前記毛束の外周を織上げた事を特徴とする歯ブラシ。